(57)【要約】【課題】記録媒体の搬送方向を縦搬送と横搬送とに切り替えて記録を実行した場合に、縦搬送と横搬送の違いによって記録品質に差が出ることを抑制すること。【解決手段】本発明の記録装置１は、記録媒体Ｐに液滴を吐出する記録部１３と、記録媒体Ｐを記録部１３の記録領域に搬送する搬送部１７と、記録部１３と搬送部１７の動作を制御する制御部１９とを備えており、制御部１９は、記録媒体Ｐに対して縦搬送による記録と横搬送による記録とを同じ記録データについて実行する縦横ソートが指定された際に、記録部１３が記録する際に設定された解像度に応じて所定の処理を実行するように構成されている。【選択図】図２
2018118454.tif 000002
【特許請求の範囲】
【請求項１】
記録媒体に液滴を吐出する記録部と、
前記記録媒体を前記記録部の記録領域に搬送する搬送部と、
前記記録部と搬送部の動作を制御する制御部と、を備え、
前記制御部は、
前記記録媒体に対して縦搬送による記録と横搬送による記録とを同じ記録データについて実行する縦横ソートが指定された際に
前記記録部が記録する際に設定された解像度に応じて所定の処理を実行する、ことを特徴とする記録装置。
【請求項２】
請求項１に記載の記録装置において、
前記記録部が記録する際に設定された解像度が、搬送方向に沿う縦方向と横方向とで解像度が異なり、いずれかの解像度が所定の解像度よりも低い場合に、前記制御部は前記所定の処理を実行する、ことを特徴とする記録装置。
【請求項３】
請求項２に記載の記録装置において、
前記所定の処理は、前記縦横ソートによる記録を禁止する処理、又は記録前にユーザーに知らせる処理である、ことを特徴とする記録装置。
【請求項４】
請求項２に記載の記録装置において、
前記所定の処理は、前記所定の解像度よりも低い方の解像度を、設定されている解像度よりも高くして縦横ソートを実行する、ことを特徴とする記録装置。
【請求項５】
請求項１に記載の記録装置において、
前記記録部が記録する際に設定された解像度が、搬送方向に沿う縦方向と横方向とで解像度が異なり、前記制御部は前記縦方向と横方向の解像度を近づける処理を行って縦横ソートを実行する、ことを特徴とする記録装置。
【請求項６】
請求項１から５のいずれか一項に記載の記録装置において、
前記制御部は、記録媒体の種類によって実行する所定の処理を備えている、ことを特徴とする記録装置。
【請求項７】
請求項１から６のいずれか一項に記載の記録装置において、
前記記録媒体の長辺を搬送方向に沿うように配置して収容する第１収容部と、
前記記録媒体の短辺を搬送方向に沿うように配置して収容する第２収容部と、を有し、
前記搬送部は、前記第１収容部と前記第２収容部に収容された記録媒体を切り替えて前記記録部の記録領域に搬送する、ことを特徴とする記録装置。
【請求項８】
記録媒体に液滴を吐出する記録部と、
前記記録媒体を前記記録部の記録領域に搬送する搬送部と、
前記記録部と搬送部の動作を制御する制御部と、を備える記録装置による記録方法であって、
前記制御部は、
前記記録媒体に対して縦搬送による記録と横搬送による記録とを同じ記録データについて実行する縦横ソートが指定された際に、
前記記録部が記録する際に設定された解像度に応じて所定の処理を実行する、ことを特徴とする記録方法。
【発明の詳細な説明】
【技術分野】
【０００１】
本発明は、記録装置及び記録方法に関する。
【背景技術】
【０００２】
複数部の記録を実行する場合に、記録結果物を部単位で仕分けするための手法として縦横ソートが可能な記録装置が知られている。ここで、縦横ソートとは、例えば同じＡ４サイズの記録媒体について縦配置の媒体カセットと、横配置の媒体カセットをそれぞれ備え、各媒体カセットから部ごとに縦搬送と横搬送の媒体搬送を行って記録し、排出することを言う。  
例えば、特許文献１には、縦横ソート機能の選択時と非選択時で、加熱定着部の温度制御手段を切り替える構成が開示されている。  
また、特許文献２には、縦通紙後の横通紙前に待機時間を挿入するか否かを原稿枚数によって判断する構成が開示されている。
【先行技術文献】
【特許文献】
【０００３】
【特許文献１】特開２００３−４３８６５号公報
【特許文献２】特開２００３−１１５９８号公報
【発明の概要】
【発明が解決しようとする課題】
【０００４】
しかし、同じ画像を記録する場合において、前記縦搬送による記録と横搬送による記録では、記録条件が同じではない。例えば、図６に表したようにインクジェット記録装置においては、縦搬送で記録した場合の縦解像度と横搬送で記録した場合の横解像度が異なるのが一般的である（例えば縦解像度は６００ｄｐｉで、横解像度は１２００ｄｐｉ等）。そのため、図６に表したように、前記縦横ソートの記録を実行した場合に、前記縦搬送で記録したもの（図６におけるＹ方向に搬送）と、前記横搬送で記録したもの（図６におけるＸ方向に搬送）とで、同じ画像を記録した場合において見た目が異なってしまう虞がある。即ち記録品質に見た目で感じる差が出る虞がある。
【０００５】
そこで、本発明の目的は、記録媒体の搬送方向を縦搬送と横搬送とに切り替えて記録を実行した場合に、該縦搬送と横搬送の違いによって記録品質に差が出ることを抑制することにある。
【課題を解決するための手段】
【０００６】
上記課題を解決するための本発明の第１の態様の記録装置は、記録媒体に液滴を吐出する記録部と、前記記録媒体を前記記録部の記録領域に搬送する搬送部と、前記記録部と搬送部の動作を制御する制御部とを備え、前記制御部は、前記記録媒体に対して縦搬送による記録と横搬送による記録とを同じ記録データについて実行する縦横ソートが指定された際に、前記記録部が記録する際に設定された解像度に応じて所定の処理を実行する、ことを特徴とする。
【０００７】
ここで、「縦搬送」とは記録媒体の長辺を搬送方向に沿わせた状態の搬送を意味し、「横搬送」とは記録媒体の短辺を搬送方向に沿わせた状態の搬送を意味する。  
「縦横ソート」とは、同じサイズの記録媒体について縦配置の媒体カセットと、横配置の媒体カセットをそれぞれ備え、各媒体カセットから部ごとに縦搬送と横搬送の媒体搬送を行って記録し、排出することを意味する。  
「所定の処理」とは、縦搬送で記録したものと、横搬送で記録したものとで、同じ記録データ（同じ画像）について記録を実行した場合において見た目が異なってしまう（即ち記録品質に見た目で感じる差が出る状態）ことを低減するために、縦搬送と横搬送による各記録画像の解像度の差を減らす処理に限らず、縦横ソートの記録実行を禁止することや、ユーザーに警告する表示等を行う処理も含む意味である。更に、一つの記録データに対してモノクロで記録する場合とカラーで記録する場合とで、前記「所定の処理」を異ならせるのが好ましい。また、記録媒体の種類に応じて前記「所定の処理」を異ならせるのが好ましい。
【０００８】
本態様によれば、前記記録部が記録する際に設定された解像度に応じて所定の処理を実行するので、該所定の処理によって、縦横ソートの場合は、初期設定された状態の記録を実行するのではなく、解像度に何らかの変更を加えて記録を実行することができるので、縦搬送と横搬送における見た目の差を目立たなくすることが可能になる。即ち、記録媒体の搬送方向を縦搬送と横搬送とに切り替えて記録を実行した場合に、該縦搬送と横搬送の違いによって記録品質に差が出ることを抑制するができる。
【０００９】
本発明の第２の態様の記録装置は、第１の態様において、前記記録部が記録する際に設定された解像度が、搬送方向に沿う縦方向と横方向とで解像度が異なり、いずれかの解像度が所定の解像度よりも低い場合に、前記制御部は前記所定の処理を実行する、ことを特徴とする。
【００１０】
ここで、「所定の解像度」とは、縦搬送で記録したものと、横搬送で記録したものとで、同じ記録データについて記録を実行した場合において見た目が異なって感じることになる解像度を意味する。見た目の感じは個人差があるので、ほとんどの人が感じるであろうと言える程度の解像度に定めるのが好ましい。  
尚、この「所定の解像度」はユーザーが変更できる構成にすることが好ましい。
【００１１】
記録部が記録する際に設定された解像度が、搬送方向に沿う縦方向と搬送方向と交差する横方向とで解像度が異なり、いずれかの解像度が所定の解像度よりも低い構成である場合に、同じ記録データの画像を記録した場合において見た目が異なってしまう問題が生じやすい。  
本態様によれば、前記制御部が前記所定の処理を実行することで、この上記構成による前記問題の発生を抑制することができる。
【００１２】
本発明の第３の態様の記録装置は、第２の態様において、前記所定の処理は、前記縦横ソートによる記録を禁止する処理、又は記録前にユーザーに知らせる処理である、ことを特徴とする。  
ここで「記録前にユーザーに知らせる処理」の場合は、その後にユーザーが画質の差が出ることを問題にしないと判断した場合に対応できるように記録続行を行える構成にすることが好ましい。
【００１３】
本態様によれば、前記縦横ソートによる記録を禁止する処理を実行することで、上記問題の発生を防止することができる。又は、記録前にユーザーに知らせる処理を実行することで、上記問題の発生を予めユーザーに知らせて、そのような記録を行うかの判断をユーザーに与えることができる。そして、ユーザーが縦搬送と横搬送で画質の差が出ることを問題にしないと判断した場合には記録続行を選択させることが可能である。
【００１４】
本発明の第４の態様の記録装置は、第２の態様において、前記所定の処理は、前記所定の解像度よりも低い方の解像度を、設定されている解像度よりも高くして縦横ソートを実行することを特徴とする。
【００１５】
本態様によれば、前記所定の解像度よりも低い方の解像度を、設定されている解像度よりも高くして縦横ソートを実行するので、低解像度であることによる影響を低下させることができ、以って縦搬送と横搬送における見た目の差を目立たなくすることができる。
【００１６】
本発明の第５の態様の記録装置は、第１の態様において、前記記録部が記録する際に設定された解像度が、搬送方向に沿う縦方向と横方向とで解像度が異なり、前記制御部は前記縦方向と横方向の解像度を近づける処理を行って縦横ソートを実行する、ことを特徴とする記録装置。
【００１７】
ここで、「記縦方向と横方向の解像度を近づける処理」とは、一方の高い解像度に揃えること、一方の低い解像度に揃えること、一方の解像度を他方の解像度に近づけること、両方の解像度を互いに近づけること、のいずれかを意味する。
【００１８】
本態様によれば、搬送方向に沿う縦方向と横方向とで解像度が異なる場合に、前記制御部は前記縦方向と横方向の解像度を近づける処理を行って縦横ソートを実行するので、縦方向と横方向とで解像度が異なることによる影響を低下させることができ、以って縦搬送と横搬送における見た目の差を目立たなくすることができる。
【００１９】
本発明の第６の態様の記録装置は、第１の態様から第５の態様のいずれか１つの態様において、前記制御部は、記録媒体の種類によって実行する所定の処理を備えていることを特徴とする。
【００２０】
記録媒体の種類によって前記縦搬送と横搬送の違いによって記録品質に見た目の差の出やすさや傾向が異なる。  
本態様によれば、前記制御部は、記録媒体の種類によって実行する所定の処理を備えている。即ち記録媒体ごとに実行すべき「所定の処理」を個別に備えているので、記録媒体の種類に応じて適切な処理を行うことができる。
【００２１】
本発明の第７の態様の記録装置は、第１の態様から第６の態様のいずれか１つの態様において、前記記録媒体の長辺を搬送方向に沿うように配置して収容する第１収容部と、前記記録媒体の短辺を搬送方向に沿うように配置して収容する第２収容部と、を有し、前記搬送部は、前記第１収容部と前記第２収容部に収容された記録媒体を切り替えて前記記録部の記録領域に搬送することを特徴とする。
【００２２】
本態様によれば、前記第１収容部と前記第２収容部に収容された記録媒体を切り替えて前記記録部の記録領域に搬送するので、前記縦横ソートを容易に実現することができる。
【００２３】
本発明の第８の態様の記録方法は、記録媒体に液滴を吐出する記録部と、前記記録媒体を前記記録部の記録領域に搬送する搬送部と、前記記録部と搬送部の動作を制御する制御部とを備える記録装置による記録方法であって、前記制御部は、前記記録媒体に対して縦搬送による記録と横搬送による記録とを同じ記録データについて実行する縦横ソートが指定された際に、前記記録部が記録する際に設定された解像度に応じて所定の処理を実行する、ことを特徴とする。
【００２４】
本態様によれば、第１の態様と同様の効果を得ることができる。
【図面の簡単な説明】
【００２５】
【図１】本発明の実施形態に係る記録装置の外観を表す斜視図。
【図２】本発明の実施形態に係る記録装置の制御経路の概略を表すブロック図。
【図３】本発明の実施形態に係る記録装置の制御部で行う縦横ソート選択時の動作の一例を表すフローチャート。
【図４】本発明の実施形態に係る記録装置の制御部で行う縦横ソート選択時の動作の他の一例を表すフローチャート。
【図５】本発明の実施形態に係る記録装置の制御部で行う縦横ソート選択時の動作の更に他の一例を表すフローチャート。
【図６】縦横ソートを選択しない通常時の記録解像度のイメージを表す説明図。
【図７】縦横ソート選択時の記録解像度のイメージを表す説明図。
【発明を実施するための形態】
【００２６】
以下に、本発明の実施形態に係る記録装置として、多段式の媒体カセットを備えた複合機タイプのインクジェットプリンターを例にとって本発明の記録装置及び記録方法について、添付図面を参照して詳細に説明する。  
尚、以下の説明では、最初に図１に基づいて本発明の実施形態に係る記録装置の全体構成の概略について説明する。次に、当該記録装置の特徴的構成となる制御部を中心とする入・出力要素との関係と制御部での制御の概要を図２に表す制御経路の概略を図示したブロック図と図６及び図７に表すイメージ図とに基づいて説明する。  
更にこれに続いて、前述した記録装置を使用することによって実行される本発明の実施形態に係る記録方法の内容を、図３から図５に示す３種の動作を表すフローチャートを例にとって具体的に説明する。
【００２７】
（１）記録装置の全体構成の概略（図１、図２参照）
図示の記録装置１は、装置本体２の上方にスキャナー部３を備え、装置本体２の下方に媒体カセット５Ａに加えて一例として二段の増設用の媒体カセット５Ｂ、５Ｃを備える複合機タイプのインクジェットプリンターである。以下の説明において、媒体カセット５Ａ等を出し入れ操作する側を記録装置１の正面とする。  
装置本体２の上部の正面から向って左側には、記録装置１の各種設定や操作を行う表示操作パネル９が設けられており、該表示操作パネル９の正面から向って右側には、記録が実行された記録媒体Ｐを受け取るための比較的大きな空間Ａが形成されていて、該空間Ａの底部が排出トレイ１１になっている。
【００２８】
また、装置本体２の下部には、当初から備えられる標準仕様の媒体カセット５Ａが設けられており、装置本体２の正面から向って右側の側面には、開閉蓋タイプの手差しトレイ７が設けられている。  
更に、装置本体２の内部には、各媒体カセット５Ａ、５Ｂ、５Ｃや手差しトレイ７から供給される記録媒体Ｐに対して各色（例えばＣ（シアン）、Ｍ（マゼンタ）、Ｙ（イエロー）、Ｋ（ブラック）の４色）の液滴を吐出して記録を実行する記録部１３と、記録媒体Ｐを記録部１３の記録領域１５に搬送する搬送部１７と、表示操作パネル９やＰＣ（パーソナルコンピュータ）等の外部装置からの情報を受けて記録部１３と搬送部１７の動作や表示操作パネル９の表示内容等を制御する制御部１９と、を備えている。
【００２９】
記録部１３としては、記録媒体Ｐの搬送方向Ｙと交差する幅方向Ｘに全領域の記録を一定の送りピッチで一挙に実行する、いわゆるラインヘッドタイプの記録ヘッドが設けられている。  
勿論、図示しないキャリッジに搭載した記録ヘッドを幅方向Ｘに往復移動させて記録を実行する、いわゆるシリアルヘッドタイプの記録ヘッドを適用することも可能である。
【００３０】
搬送部１７としては、搬送用のニップ式の給送用ローラーや排出用ローラー、これらを駆動するモーターや歯車列、ベルト等、記録媒体Ｐの搬送を案内するガイドローラーやガイド板、搬送方向を反転させる反転機構等がユニット化された搬送ユニットが適用可能である。  
そして、制御部１９は、記録媒体Ｐに対して縦搬送による記録と横搬送による記録とを同じ記録データ２１に基づいて実行する、いわゆる縦横ソートが指定された際に、記録部１３が記録を実行する際に設定された解像度に応じて所定の処理を実行するように構成されている。
【００３１】
ここで、「縦搬送」とは記録媒体Ｐの長辺を搬送方向Ｙに沿わせた状態の搬送を意味し、具体的には媒体カセット５Ａ、５Ｂ、５Ｃにセットする記録媒体Ｐの向きと手差しトレイ７に挿入する記録媒体Ｐの向きとを、それぞれ縦向きにすることによって実行ざれる。また、このように記録媒体Ｐを縦向きにして装置本体２を収容する部位を本明細書では第１収容部２３と定義する。  
一方、「横搬送」とは記録媒体Ｐの短辺を搬送方向Ｙに沿わせた搬送を意味し、具体的には媒体カセット５Ａ、５Ｂ、５Ｃにセットする記録媒体Ｐの向きと前記手差しトレイ７に挿入する記録媒体Ｐの向きとを、それぞれ横向きにすることによって実行される。また、このように記録媒体Ｐを横向きにして装置本体２に収容する部位を本明細書では第２収容部２５と定義する。  
また、搬送部１７は、第１収容部２３と第２収容部２５に収容された記録媒体Ｐを切り替えて記録部１３の記録領域１５に搬送し得るように構成されており、前記縦横ソートを容易に実現できるようになっている。
【００３２】
また、「縦横ソート」とは、同じサイズ（例えばＡ４サイズ）の記録媒体Ｐについて前記縦向きで配置された第１収容部２３と、前記横向きで配置された第２収容部２５と、のそれぞれを備え、各収容部２３、２５から部数ごとに前記縦搬送と横搬送の記録媒体Ｐの搬送を行って記録の実行と記録媒体Ｐの給送及び排出を行うことを意味する。  
従って、第１収容部２３に収容された記録媒体Ｐは縦向きで給送され、縦向きで記録が実行されて、縦向きで排出トレイ１１上に排出される。一方、第２収容部２５に収容された記録媒体Ｐは横向きで給送され、横向きで記録が実行されて、横向きで排出トレイ１１上に排出される。
【００３３】
また、「所定の処理」とは、前記縦搬送で記録したものと、前記横搬送で記録したものとで、同じ記録データ（同じ画像や文字）について記録を実行した場合において見た目が異なってしまう（即ち記録品質に見た目で感じる差が出る状態）ことを低減するために行う処理を意味する。  
具体的には、前記縦搬送で記録された画像の解像度と前記横搬送で記録された画像の解像度との差を減らす処理、前記縦横ソートの記録の実行を禁止する処理、ユーザーに警告する表示や音声等で知らせる処理等が含まれる。  
更に、これらの処理は、一つの記録データ２１に対してモノクロ出力する場合とカラー出力する場合とで異ならせたり、記録する記録媒体Ｐの種類（例えば普通紙とインクジェット専用紙）に応じて異ならせることが好ましい。
【００３４】
（２）記録装置の制御部と入・出力要素との関係（図２、図６及び図７参照）
制御部１９に送られる入力要素２７としては、図２に表したように、ＰＣ等の外部装置から送られる画像データやプロファイルデータを含んだ記録データ２１、ユーザーがＰＣや表示操作パネル９等から設定する縦横ソートの選択の有無、所定の解像度を含んだ設定情報３１、媒体カセット５や手差しトレイ７にセットされた記録媒体Ｐの有無、サイズ、種類、縦向き配置と横向き配置の別等が挙げられる。  
制御部１９によって制御される出力要素２９としては、記録部１３と搬送部１７の動作の他、ユーザーに告知するための表示操作パネル９による警告表示や警告ランプ３３ないいしスピーカー３５等が挙げられる。
【００３５】
そして、制御部１９では、記録部１３において記録が実行される際に設定された解像度が、搬送方向Ｙに沿う縦方向と、幅方向Ｘに沿う横方向とで解像度が異なり、いずれかの解像度が所定の解像度よりも低い場合に前記「所定の処理」を実行するように構成されている。  
ここで、「所定の解像度」とは、記録媒体Ｐを前記縦搬送して記録を実行したものと、前記横搬送で記録を実行したものとで、同じ記録データ２１について記録を実行した場合において見た目が異なって感じることになる解像度を意味する。尚、見た目の感じは個人差があるので、ほとんどの人が感じるであろうと言える程度の解像度に定めることが好ましい。また、この「所定の解像度」は予め初期値を定めておき、その初期値に基づいてユーザーが自由に変更できるように構成したり、記録装置１の記録方式や記録メディアの違い等に応じて選択して変更できるように構成したり、記録装置１の記録方式や記録メディアの違い等に応じて選択して変更できるように構成することが好ましい。
【００３６】
具体的には、図６に表すように縦方向Ｙの解像度が６００ｄｐｉで横方向Ｘの解像度が１２００ｄｐｉの標準解像度の場合には、図示のように縦方向Ｙと横方向Ｘで液滴の打込みドットＤの密度が異なるため、記録データ２１によっては記録した画像に画質の違いが生じる場合がある。  
この場合において、記録ヘッドの性能等によっては、より密度の高い解像度（１２００ｄｐｉ）に統一できない場合がある。その場合には、密度の小さな低い解像度（６００ｄｐｉ）に記録実行の解像度を統一し、記録を実行する。このようにして記録が実行された画像は、図７に表すように前記縦搬送と横搬送とで記録品質に差が生じないようになる。
【００３７】
（３）記録方法の内容（図３から図５参照）
本実施形態に係る記録方法は、記録部１３と、搬送部１７と、制御部１９とを備える記録装置１による記録方法であって、制御部１９において、同じ記録データ２１に基づいて記録媒体Ｐに縦搬送による記録と横搬送による記録とを実行する前記縦横ソートが指定された際に、記録部１３が記録を実行する際に設定された解像度が、縦方向Ｙと横方向Ｘとで異なり、いずれかの解像度が所定の解像度よりも低い場合に前記「所定の処理」を実行するように構成されている。一般的に解像度が高く設定された印刷の場合、解像度が低く設定された印刷よりも縦横の解像度の差を感じにくく、縦横の解像度がいずれも所定の解像度よりも高い場合には、解像度が異なっていても「所定の処理」を実行する必要はない。  
以下、記録装置１を使用することによって実行される本発明の実施形態に係る記録方法の内容を、図示の３種の動作を示すそれぞれのフローチャートに従って具体的に説明する。
【００３８】
（Ａ）縦横ソート選択時の動作１（図３参照）
縦横ソートを選択したとき、記録部１３の縦方向Ｙと横方向Ｘの設定解像度が異なり、いずれかが前記「所定の解像度」よりも低い場合には、縦横ソートによる記録を禁止する処理を行うか、もしくは記録の実行を開始する前にユーザーにその旨を知らせる処理を行う。  
具体的には、ステップＳ１でユーザーが縦横ソートを選択すると、ステップＳ２に移行して縦方向Ｙと横方向Ｘの設定解像度のいずれかが前記所定の解像度よりも低いか否かの判断が行われる。低いと判断された場合にはステップＳ３に移行して縦横ソートの選択を不可とする。もしくはステップＳ４に移行して表示操作パネル９に警告表示を表示させたり、警告ランプ３３を点灯ないし点滅させたりする。或いはブザーや音声をスピーカー３５から流してユーザーに警告する。
【００３９】
尚、ステップＳ４でユーザーに前記設定解像度が前記所定の解像度よりも低いことを知らせる処理を行った場合には、その後にユーザーが画質の差が出ることを問題にしないと判断したときに対応できるように記録の続行が行える構成にすることが好ましい。  
また、ステップＳ２で、前記設定解像度が前記所定の解像度よりも高いと判断された場合には、ステップＳ５に移行してそのままの設定解像度を採用し、ステップＳ６で縦横ソートによる記録を実行する。
【００４０】
（Ｂ）縦横ソート選択時の動作２（図４参照）
縦横ソートを選択したとき、記録部１３の縦方向Ｙと横方向Ｘの設定解像度が異なり、いずれかが前記所定の解像度よりも低い場合には、前記所定の解像度よりも低い方の解像度を、当該設定されている解像度よりも高くして縦横ソートを実行する。  
具体的には、ステップＳ１１でユーザーが縦横ソートを選択すると、ステップＳ１２に移行して前記設定解像度が前記所定の解像度よりも低いか否かの判断が行われる。低いと判断した場合にはステップＳ１３に移行して前記所定の解像度よりも低い方の解像度を、当該設定されている解像度よりも高くする。
【００４１】
次に、ステップＳ１４に移行して、新たに設定した高い解像度を採用し、ステップＳ１５で縦横ソートによる記録を実行する。  
また、ステップＳ１２で前記設定解像度が前記所定の解像度よりも高いと判断された場合は、ステップＳ１６に移行して、そのままの設定解像度を採用し、ステップＳ１５で縦横ソートによる記録を実行する。
【００４２】
（Ｃ）縦横ソート選択時の動作３（図５参照）
縦横ソートを選択したとき、記録部１３の縦方向Ｙと横方向Ｘの設定解像度が異なり、いずれかが前記所定の解像度よりも低い場合には、前記縦方向Ｙと横方向Ｘの設定解像度を近づけて縦横ソートを実行する。  
具体的には、ステップＳ２１でユーザーが縦横ソートを選択すると、ステップＳ２２に移行して前記設定解像度が前記所定の解像度よりも低いか否かの判断が行われる。低いと判断された場合には、ステップＳ２３に移行して縦方向Ｙと横方向Ｘの設定解像度を近づける。
【００４３】
ここで、「縦方向Ｙと横方向Ｘの設定解像度を近づける」とは、低い方の設定解像度を高い方の設定解像度に揃えて同じにすること、高い方の設定解像度を低い方の設定解像度に揃えて同じにすること、縦方向Ｙと横方向Ｘの一方の設定解像度を他方の設定解像度に近付けて同程度の解像度にすること、両方の設定解像度を互いに近づけて同程度または同じ解像度にすること、が含まれる。
【００４４】
次に、ステップＳ２４に移行して、縦方向Ｙと横方向Ｘの近づけた解像度を採用し、ステップＳ２５で縦横ソートにより記録を実行する。  
また、ステップＳ２２で前記設定解像度が前記所定の解像度よりも高いと判断された場合には、ステップＳ２６に移行して、そのままの設定解像度を採用し、ステップＳ２５で縦横ソートによる記録を実行する。
【００４５】
また、記録装置１の制御部１３は、記録媒体Ｐの種類やユーザーが選択した記録品質のレベル等に応じて予め実行する所定の処理（前記３つの動作を含む）を備えておくことが可能である。  
因みに、このようにしておけば記録媒体Ｐの種類やユーザーが選択した記録品質のレベル等に応じて適切な処理を自動的に或いは極めて簡単な操作で実行できるようになる。
【００４６】
そして、このようにして構成される本実施の形態に係る記録装置１及び記録方法によれば、記録媒体Ｐに対して前記縦搬送と横搬送とに切り替えて記録を実行する前記縦横ソートが指定された場合に、当該縦搬送と横搬送の違いによって記録品質に差が出ることを抑制することが可能になる。
【００４７】
[他の実施形態]
本発明に係る記録装置及び記録方法は、以上述べたような構成を有することを基本とするものであるが、本願発明の要旨を逸脱しない範囲内での部分的構成の変更や省略等を行うことも勿論可能である。  
例えば、前述した所定の処理は、それぞれ単独で実行される他、複数の処理を組み合わせて実行することが可能である。また、前述した（Ａ）縦横ソート選択時の動作１で説明した警告表示後の処理として、ユーザーに縦搬送での第１収容部２３からの記録の実行を望むか、横搬送での第２収容部２５からの記録の実行を望むのかを選択させて当該選択された第１収容部２３或いは第２収容部２５からのみ記録媒体Ｐを搬送して記録を実行することが可能である。
【００４８】
更に、前述した（Ｃ）縦横ソート選択時の動作３で説明した「縦方向Ｙと横方向Ｘの設定解像度を近づける」の範囲を拡大して両者の近似の程度を問わず、幾らかでも両者の解像度が近づく方向に移動したものも含まれるようにすることも可能である。  
また、縦方向Ｙと横方向Ｘの設定解像度の変更に際しては、予め所定量ずつ（例えば５０ｄｐｉずつ）の補正値を定めておき、「＋」ボタンと「−」ボタンを押すことでそれぞれの解像度を段階的に変更できるようにしてもよい。或いは、記録媒体Ｐの種類等、条件の違い等に基づいて予め変更する補正値を定めておき、自動的に縦方向Ｙと横方向Ｘのいずれか一方または両方の解像度を変更するようにすることも可能である。  
【符号の説明】
【００４９】
１  記録装置、２  装置本体、３  スキャナー部、５  媒体カセット、
７  手差しトレイ、９  表示操作パネル、１１  排出トレイ、１３  記録部、
１５  記録領域、１７  搬送部、１９  制御部、２１  記録データ、
２３  第１収容部、２５  第２収容部、２７  入力要素、２９  出力要素、
３１  設定情報、３３  警告ランプ、３５  スピーカー、
Ｐ  記録媒体、Ａ  空間、Ｘ  幅方向（横方向）、Ｙ  搬送方向（縦方向）
Ｄ  （液滴の）打込みドット
【図１】
2018118454.tif 000003
【図２】
2018118454.tif 000004
【図３】
2018118454.tif 000005
【図４】
2018118454.tif 000006
【図５】
2018118454.tif 000007
【図６】
2018118454.tif 000008
【図７】
2018118454.tif 000009